(57)【要約】【課題】操作ノブの押込み操作で第１スイッチを動作させ、その操作ノブの揺動操作で第２スイッチを動作させるスイッチ装置において、操作ノブの操作性を高めることを目的する。【解決手段】  基板５１に固定したケース４１に揺動可能に軸支したホルダ３１と、押込み操作にしたがい前記ホルダ３１を摺動して押込み可能な操作ノブ２１とを備え、操作ノブ２１の押込みによって第１スイッチを、操作ノブ２１の揺動操作にしたがって前記ホルダ３１と一体的に旋回させて第２スイッチを動作させる構成のスイッチ装置において、前記操作ノブ２１に設けた突出舌片２３と、前記ケース４１に設けた円弧状面４４とで、揺動操作中での前記操作ノブ２１の押込みを防ぐ押込阻止機構を形成し、さらに、前記円弧状面４４の中央部には、操作ノブ２１の押込み操作による前記突出舌片２３の進出を許容する逃げ孔４５を設けた構成としてある。【選択図】  図２
2014110130.tif 000002
【特許請求の範囲】
【請求項１】
基板に固定されたケースと、このケースに揺動可能に軸支したホルダと、押込み操作にしたがい前記ホルダを摺動して押込み可能な操作ノブとを備え、操作ノブの押込みによって第１スイッチを動作させ、操作ノブを前記ホルダと一体的に揺動させて第２スイッチを動作させる構成のスイッチ装置において、
前記操作ノブの押込み方向に突出形成した突出舌片と、前記操作ノブの揺動操作による前記突出舌片の旋回軌跡に平行させて前記ケースに設けた円弧状面とで、揺動操作時の前記操作ノブの押込みを防ぐ押込阻止機構を形成し、
さらに、前記円弧状面の中央部には、操作ノブの押込み操作による前記突出舌片の進出を許容する逃げ孔を設けたことを特徴とするスイッチ装置。
【請求項２】
請求項１に記載したスイッチ装置において、
前記ケースに設けた円弧状面の両側には、押込み操作による操作ノブの移動限界を規制する膨出部からなる第１ストッパー部と、揺動操作による操作ノブの揺動限界を規制するテーパーからなる第２ストッパー部とを設けたことを特徴とするスイッチ装置。
【請求項３】
請求項１に記載したスイッチ装置において、
前記突出舌片の進出を許容する逃げ孔は、前記第２スイッチを動作させない範囲内での操作ノブの揺動状態での押込みによる前記突出舌片の進出を許容する孔幅に設定されていることを特徴とするスイッチ装置。
【発明の詳細な説明】
【技術分野】
【０００１】
本発明は、操作ノブを押込み操作して第１スイッチを動作させ、操作ノブを揺動操作して第２スイッチを動作させるスイッチ装置に関する。
【背景技術】
【０００２】
操作ノブを押込み操作で第１スイッチを動作させ、その操作ノブの揺動操作で第２スイッチを動作させる単一操作ノブを備えたスイッチ装置には様々な構成のものがあるが、従来の一例のスイッチ装置として図１４、図１５に示してある。
図１４に示す斜視図から分かるように、このスイッチ装置は、ノブ１１、ノブホルダ１２、固定体である枠体１３を備えており、そして、このスイッチ装置の上方はカバー１４で覆われ、また、下方には配線基板１５が配設されている。
【０００３】
上記ノブ１１は、押込み操作で、その左右面に設けられた突状部１１ａが、ノブホルダ１２の左右内面のガイド溝１２ａと、枠体１３の左右内面のガイド溝１３ａを摺動し、また、その前面に設けられた突状部１１ｂがノブホルダ１２のガイド溝１２ｂを摺動し、ノブホルダ１２と枠体１３の内部を下降する。
また、ノブホルダ１２は、その左右面に設けた軸部１２ｃが枠体１３の軸孔１３ｂに軸着されており、ノブ１１の揺動操作で、ノブホルダ１２が枠体１３に対してノブ１１と共に回動（揺動）するようになっている。
【０００４】
ノブ１１を押込み操作すると、上記したように、ノブ１１の突状部１１ａがノブホルダ１２のガイド溝１２ａと枠体１３のガイド溝１３ａを摺動し、また、その突状部１１ｂがノブホルダ１２のガイド溝１２ｂを摺動し、図１５に示すようにノブ１１が下降しラバーコンタクト（第１スイッチ）１６がスイッチ動作する。
すなわち、ノブ１１に設けられた作動片１１ｃによってラバーコンタクト１６が押動され、ラバーコンタクト１６内の可動接点が固定接点に接触し、スイッチＯＮする。
【０００５】
ラバーコンタクト１６は、第２スイッチを形成するラバーコンタクト１７と共に配線基板１５に配設されている。
ノブ１１の押込み操作では、ノブ１１がノブホルダ１２内を下降するため、ノブホルダ１２がプッシャ１８を介してラバーコンタクト１７の浮動力を受け、図１５に示すように中立状態となっており、したがって、ラバーコンタクト１７がＯＦＦ動作となっている。
なお、ノブ１１の押込み操作を解放すると、ノブ１１がラバーコンタクト１６の浮動力を受けて上昇して復動する。
【０００６】
また、ノブ１１を揺動操作させると、ノブホルダ１２がノブ１１と一体的に軸部１２ｃを支軸として回動する。
したがって、図１６に示すように、ノブホルダ１２の押圧面１２ｄに押動されるプッシャ１８によってラバーコンタクト１７が押動され、このラバーコンタクト１７内の可動端子が固定端子に接触し、スイッチＯＮする。
なお、ノブ１１の揺動操作を解放させれば、ノブホルダ１２がプッシャ１８を介してラバーコンタクト１７の浮動力を受けて復動する。  
【０００７】
なお、ノブ１１を揺動操作したときは、ノブ１１は下降しないで回動するだけとなるので、図１６に示す如く、ラバーコンタクト１６はスイッチＯＦＦのままとなる。
また、図１６はノブ１１を左回動させた状態を示したが、ノブ１１を右回動させたときも同様の動作となり、右側のラバーコンタクト１７がスイッチＯＮする。
【先行技術文献】
【特許文献】
【０００８】
【特許文献１】特許第４０９５４１５号公報
【発明の概要】
【発明が解決しようとする課題】
【０００９】
上記した従来のスイッチ装置は、ノブ１１の押込み操作で、その突状部１１ａが枠体１３のガイド溝１３ａに突入し、この突状部１１ａとガイド溝１３ａとでノブ１１の押込み時には、ノブ１１の揺動が防止されている。
すなわち、突状部１１ａがガイド溝１３ａの溝壁を摺動しながら突入するため、ノブ１１の押込み時には、ノブ１１の揺動が確実に防止され、ノブ１１の押込みによる第１スイッチのスイッチＯＮ時に第２スイッチがスイッチＯＮすることがない。
【００１０】
また、ノブ１１の揺動操作では、その突状部１１ａの先端部が旋回し、枠体１３のガイド溝１３ａの入口部からずれ、ガイド溝１３ａを形成したガイド部１３ｃの上面１３ｄとを当接するようになる。
したがって、ノブ１１の揺動操作時には、突状部１１ａがガイド部１３ｃの上面１３ｄに当接してノブ１１の押込みが阻止されるため、ノブ１１の揺動操作による第２スイッチのスイッチＯＮ時に第１スイッチがスイッチＯＮするようなことがない。
【００１１】
このように、上記した従来のスイッチ装置は、第１、第２スイッチが同時にＯＮ動作する弊害を確実に防止できると言う優れた効果がある。
しかしながら、ノブ１１に少しでも傾きがあると、突状部１１ａの先端部が旋回しガイド部１３ｃの上部１３ｄに突き当たるので、ノブ１１の押込み操作が阻止されてしまうと言う問題がある。
【００１２】
特に、ノブ１１と一体回転するノブホルダ１２が、ラバーコンタクト１７の浮動力で中立位置に復動する構成であるため、２つのラバーコンタクト１７の一方のラバーコンタクトの浮動力が長期使用などで弱くなったときの他、ノブホルダ１２の軸部１２ｃと枠体１３の軸孔との機械的ガタが大きくなったときなどに原因してノブホルダ１２が正規位置に戻らないことがあり、このため、ノブ１１に傾きが生じ上記の問題が起こることがある。
【００１３】
本発明は、上記した実情にかんがみ、操作ノブに多少の傾きがある場合でも押込み操作を可能にして操作性を高め、かつ、操作ノブの押込み操作又は揺動操作で第１スイッチと第２スイッチとの同時動作を確実に防止することができるスイッチ装置を提供することを目的とする。
【課題を解決するための手段】
【００１４】
上記した目的を達成するため、本発明では、基板に固定されたケースと、このケースに揺動可能に軸支したホルダと、押込み操作にしたがい前記ホルダを摺動して押込み可能な操作ノブとを備え、操作ノブの押込み操作によって第１スイッチを動作させ、操作ノブを前記ホルダと一体的に揺動させて第２スイッチを動作させる構成のスイッチ装置において、前記操作ノブの押込み方向に突出形成した突出舌片と、前記操作ノブの揺動操作による前記突出舌片の旋回軌跡に平行させて前記ケースに設けた円弧状面とで、揺動操作時の前記操作ノブの押込みを防ぐ押込阻止機構を形成し、さらに、前記円弧状面の中央部には、操作ノブの押込み操作による前記突出舌片の進出を許容する逃げ孔を設けたことを特徴とするスイッチ装置を提案する。
【００１５】
また、上記した本発明は、前記ケースに設けた円弧状面の両側には、押込み操作による前記操作ノブの移動限界を規制する膨出部からなる第１ストッパー部と、揺動操作による前記操作ノブの揺動限界を規制するテーパーからなる第２ストッパー部とを設けることができる。
さらに、上記した本発明は、前記突出舌片の進出を許容する逃げ孔について、前記第２スイッチを動作させない範囲内の操作ノブの揺動状態で、操作ノブの押込みによる前記突出舌片の進出を許容する孔幅に設定することができる。
【発明の効果】
【００１６】
本発明では、操作ノブの揺動操作時に操作ノブを押込むと、操作ノブの突出舌片がケースの円弧状部に突き当たり、操作ノブの押込みが阻止されるので、操作ノブの揺動操作によって第2スイッチが動作する。
また、操作ノブを押込み操作する場合は、操作ノブの突出舌片がケースの円弧状面に設けた逃げ孔内を進出するので、操作ノブを押し込むことができ、第１スイッチを動作させることができる。
【００１７】
特に、本発明では、操作ノブの押込み操作時に、突出舌片が円弧状部に設けた逃げ孔内を進む構成としてあるので、突出舌片と逃げ孔の孔縁との間には間隔あり、この結果、操作ノブの多少の傾きであれば、突出舌片が逃げ孔内を進出できるので操作ノブの押込みが可能になる。
なお、操作ノブを多少傾いた状態で押し込む場合には、第２スイッチは動作することなく、第１スイッチのみが動作することになる。
【００１８】
また、本発明は、請求項２の発明によれば、操作ノブが多少傾いた状態で押し込み操作されても、操作ノブが円弧状部の両側の膨出部からなる第１ストッパー部に当たって傾きが修正されるから、第２スイッチは動作しない。
さらに、本発明では、請求項３のように、操作ノブの揺動が第２スイッチを動作させない範囲の傾きであれば、操作ノブの押込み操作が可能になるように、突出舌片が進む逃げ孔の孔幅に設定することができる。
【００１９】
このように、本発明によれば、操作ノブが多少揺動している状態でも押込み操作して第１スイッチのみを動作させることができ、操作性の良いスイッチ装置となる上、操作ノブの揺動操作時には、突出舌片が円弧状部に突き当たり操作ノブの押込みが阻止されるので、第２スイッチのみの動作となる。
【図面の簡単な説明】
【００２０】
【図１】本発明の一実施形態を示すスイッチ装置の平面図である。
【図２】上記スイッチ装置の拡大側面図である。
【図３】図３（Ａ）、（Ｂ）、（Ｃ）は上記したスイッチ装置に備える操作ノブ、ホルダ、ケースを上方から見た斜視図である。
【図４】図４（Ａ）、（Ｂ）は上記したスイッチ装置に備える操作ノブとホルダを下方から見た斜視図である。
【図５】上記した操作ノブのホルダからの抜け止め構成を示した部分図である。
【図６】図１上のＡ−Ａ線拡大断面図である。
【図７】図１上のＢ−Ｂ線拡大断面図である。
【図８】操作ノブを押込み操作した動作を示す図２同様の側面図である。
【図９】操作ノブを押込み操作した動作を示す図６同様の断面図である。
【図１０】操作ノブを押込み操作した動作を示す図７同様の断面図である。
【図１１】操作ノブを揺動操作した動作を示す図２同様の側面図である。
【図１２】操作ノブを揺動操作した動作を示す図７図同様の断面図である。
【図１３】操作ノブを揺動操作した動作を示す図６同様の断面図である。
【図１４】従来例として示したスイッチ装置の分解斜視図である。
【図１５】ノブを押込み操作した動作を示す上記従来例のスイッチ装置の断面図である。
【図１６】ノブを揺動操作した動作を示す上記従来例のスイッチ装置の断面図である。
【発明を実施するための形態】
【００２１】
次に、本発明の一実施形態であるスイッチ装置について図面に沿って説明する。
本実施形態のスイッチ装置は、図１〜図７に示すように、合成樹脂材で形成した操作ノブ２１、ホルダ３１、ケース４１が主な構成部品となっており、下方にはケース４１を固定する基板５１が設けてある。
【００２２】
操作ノブ２１は、図３（Ａ）及び図４（Ａ）に部品図として示すように、底面２１ａ、左右側面２１ｂ、２１ｃ、前後側面２１ｄ、２１ｅを有する四辺形のほぼ箱状のもので、その左右側面２１ｂ、２１ｃの内面と後側面２１ｅの内面には、上下方向に凹条形成したガイド溝２２ａ、２２ｂ、２２ｃを設け、さらに、前側面２１ｄには下向きに突出形成した突出舌片２３が設けてある。
【００２３】
また、この操作ノブ２１には、底面２１ａの前寄り内面部所にプッシュピン６１（図６参照）を押動する押動舌片２５が突出形成してある。
さらに、上記操作ノブ２１の前側面２１ｄには、図２（Ａ）及び図５に示すように、ホルダ３１からの抜け出しを防ぐ抜出防止孔２６が設けてある。
【００２４】
図示するホルダ３１は、図３（Ｂ）及び図４（Ｂ）に部品図として示すように、四辺形断面のほほ角筒形のもので、その左右側面３１ｂ、３１ｃの外面と、後側面３１ｅの外面には、上下方向に凸条形成したガイドレール３２ａ、３２ｂ、３２ｃが設けてある。
これらガイドレール３２ａ、３２ｂ、３２ｃが操作ノブ２１のガイド溝２２ａ、２２ｂ、２２ｃに摺動自在に嵌合している。
【００２５】
このホルダ３１の左右側面３２ｂ、３２ｃの一部にはプッシュピン６２ａ、６２ｂ（図７参照）を押動する押動舌片３３ａ、３３ｂを設け、また、そのホルダ３１の前後側面３２ｄ、３２ｅには、その側面各々の中央部に軸孔３４ａ、３４ｂが設けてある。
また、上記のホルダ３１の前側面３２ｄには、図３（Ｂ）及び図５に示すように、操作ノブ２１の抜出防止孔２６に突入させる係止突形部３５が設けてある。
【００２６】
基板５１に固定されたケース４１の中央前後には、図３（Ｃ）に示すように、上記ホルダ３１の軸孔３４ａ、３４ｂに突入させて、ホルダ３１を揺動（旋回）可能に軸支する支軸４２ａ、４２ｂ（４２ｂは図６、図７参照）が設けてある。
また。このケース４１には、操作ノブ２１の押動舌片２５によって押動するプッシュピン６１を挿通させるピン受孔４３ａが支軸４２ａ寄りに、ホルダ３１の押動舌片３３ａ、３３ｂによって押動するプッシュピン６２ａ、６２ｂを挿通させるピン受孔４３ｂ、４３ｃが左右部所に各々設けてある。
【００２７】
さらに、ケース４１の前側下方部所には、図２及び図３（Ｃ）より分かるように、操作ノブ２１の揺動操作時に旋回する突出舌片２３の先端部の軌跡に沿った円弧状部４４が形成してあり、また、この円弧状部４４の中央部には、操作ノブ２１の突出舌片２３の進入を許容する逃げ孔４５が形成してある。
逃げ孔４５の両側の円弧状部４４は、突出舌片２３の当接により、操作ノブ２１の揺動操作時に操作ノブ２１の押込みを阻止する規制部となっている。
【００２８】
なお、上記の逃げ孔４５の孔幅Ｄ２は、突出舌片２３の幅Ｄ１に比べて充分に広く形成したあり、突出舌片２３が逃げ孔４５に進入するときに、その孔縁に引っかかることがないようにしてある。
具体的には、上記の逃げ孔４５については、操作ノブ２１を多少揺動（傾き）させた状態で押込み操作したときでも、第２スイッチがスイッチＯＮしない範囲以内の操作ノブ２１の傾きであれば、操作ノブ２１の押込み操作による突出舌片２３の進入を許容する孔幅Ｄ２として設定することができる。
【００２９】
また、ケース４１には、上記した円弧状部４４の左右側に膨出部として形成した第１ストッパー部４６ａ、４６ｂが設けてある。
この第１ストッパー部４６ａ、４６ｂは、押込み操作した操作ノブ２１の押下動を受け止めるストッパーとなっている。
さらに、第１ストッパー部４６ａ、４６ｂに続く外側に下り勾配のテーパーとして形成した第２ストッパー部４７ａ、４７ｂが設けてある。
この第２ストッパー部４７ａ、４７ｂは、操作ノブ２１が揺動操作されたとき、操作ノブ２１の旋回動を受け止めるストッパーとなっている。
【００３０】
上記の基板５１には、図６及び図７に示す通り、上記したプッシュピン６１の押動下にスイッチ動作（ＯＮ）するラバーコンタクト７１が第１スイッチとして、プッシュピン６２ａ、６２ｂの押動下にスイッチ動作（ＯＮ）するラバーコンタクト７２ａ、７２ｂが第２スイッチとして備えてある。
ラバーコンタクト７１、７２ａ、７２ｂは、頭切円錐形の弾性ゴム内に固定した可動接点７３ａと基板５１に配設した固定接点７３ｂとを有し、ラバーコンタクト７１、７２ａ、７２ｂがプッシュピン６１、６２ａ、６２ｂによって押圧されて可動接点７３ａが固定接点７３ｂに接触してスイッチＯＮする。
なお、ラバーコンタクト７１、７２ａ、７２ｂのスイッチ信号は基板５１に設けた回路配線（パターン）を介して送信する。
【００３１】
次に、上記したスイッチ装置の動作について説明する。
このスイッチ装置は、操作ノブ２１を押圧しない通常時には各スイッチがＯＦＦとなっている。
つまり、プッシュピン６１がラバーコンタクト７１の浮動力で上昇移動しているため、押動舌片２５が上昇したプッシュピン７１により押し上げられており、この関係で操作ノブ２１のガイド溝２２ａ、２２ｂ、２２ｃがホルダ３１のガイドレール３２ａ、３２ｂ、３２ｃに沿って上昇した位置となるため、操作ノブ２１が図６に示すように、上昇した位置を保っている。
【００３２】
また、プッシュピン６２ａ、６２ｂがラバーコンタクト７２ａ、７２ｂの浮動力で上昇移動しているため、ホルダ２１の押動舌片３３ａ、３３ｂがプッシュピン６２ａ、６２ｂにより押し上げられており、このため、ホルダ３１の左右側が図７に示すように、上昇した位置を保っている。
【００３３】
操作ノブ２１の中央部を押圧（押込み操作）すると、図８〜図１０に示した通り、ラバーコンタクト７１がスイッチＯＮし、ラバーコンタクト７２ａ、７２ｂがスイッチＯＦＦのままとなる。
すなわち、操作ノブ２１の中央部を押し込むと、そのガイド溝２２ａ、２２ｂ、２２ｃがホルダ３１のガイドレール３３ａ、３３ｂ、３３ｃによってガイドされて下方に移動することから、操作ノブ２１が垂直に下降する。
【００３４】
その下降により、操作ノブ２１の下縁部２７ａ、２７ｂが、図８に示す如く、ケース４１の第１ストッパー４６ａ、４６ｂに当接し、操作ノブ２１の下降限界位置となる。
このように、操作ノブ２１が下降すると、突出舌片２３が逃げ孔４５内に進出し、また、操作ノブ２１が第１ストッパー４６ａ、４６ｂに当接したときは、突出舌片２３が逃げ孔４５の中程で直下の向きとなる。
【００３５】
操作ノブ２１が上記のように下降すると、プッシュピン６１が押圧舌片２５により押圧されて下降するため、ラバーコンタクト７１がゴム弾性による浮動力に抗して押動され、その可動接点７３ａが固定接点７３ｂに接触し、図９に示すように、第１スイッチであるラバーコンタクト７１がスイッチＯＮとなる。
【００３６】
また、操作ノブ２１が上記の如く垂直下降すると、ラバーコンタクト７２ａ、７２ｂが図１０に示すように、スイッチＯＦＦとなっている。
すなわち、操作ノブ２１の押込み操作に伴い、そのガイド溝２２ａ、２２ｂ、２２ｃがホルダ３１のガイドレール３２ａ、３２ｂ、３２ｃによってガイドされて下降するため、操作ノブ２１の下降がホルダ３１に影響しない。
【００３７】
したがって、ホルダ３１は操作ノブ２１の押込み操作にかかわらず非移動のままとなるので、プッシュピン６２ａ、６２ｂが下降しないから、ラバーコンタクト７２ａ、７２ｂが図１０に示す如く第２スイッチとしてスイッチＯＦＦのままとなる。
なお、操作ノブ２１の押圧力を解放すれば、ラバーコンタクト７１が復元する浮動力でプッシュピン６１が上昇するため、操作ノブ２１が図２、図６及び図７に示す通常時の状態に戻り、第１スイッチであるラバーコンタクト７１がスイッチＯＦＦとなる。
【００３８】
他方、操作スイッチ２１の左方向部を押圧（揺動操作）すると、図１１〜図１３に示した通り、ラバーコンタクト７２ａがスイッチＯＮ、ラバーコンタクト７１，７２ｂがスイッチＯＦＦとなる。
図１１及び図１２に示すように、操作ノブ２１の左方向部を押圧すると、ホルダ３１が支軸４２ａ、４２ｂを中心に操作ノブ２１と一体的に左旋回（左揺動）する。
【００３９】
すなわち、ホルダ３１のガイドレール３２ａ、３２ｂ、３２ｃが操作ノブ２１のガイド溝２２ａ、２２ｂ、２２ｃを摺動することなく嵌合したままで、ホルダ３１が左旋回するので、操作ノブ２１がホルダ３１と一体的に左旋回する。
そして、操作ノブ２１の下縁部２７ａがケース４１の第２ストッパー４７ａに当接するまで旋回すると、操作ノブ２１の揺動限界位置となる。
【００４０】
操作ノブ２１をこのように揺動させると、ホルダ３１の押動舌片３３ａによりプッシュピン６２ａが押下動されるため、ラバーコンタクト７２ａが押動され、その可動接点７３ａが固定接点７３ｂに接触し、図１２に示す通り、ラバーコンタクト７２ａが第２スイッチとしてスイッチＯＮとなる。
【００４１】
上記の如く、操作ノブ２１を左旋回（左揺動）させた場合、図１１から分かる通り、突出舌片２３が逃げ孔４５の右側の円弧状部４４に当接するようになる。
したがって、左揺動の操作中の操作ノブ２１を押込み操作した場合、突出舌片２３が円弧状部４４に突き当たり、操作ノブ２１の押込みが阻止される。
この結果、操作ノブ２１の揺動操作中に押込み操作したとしても、プッシュピン６１が上昇した位置を保つので、第１スイッチとしてのラバーコンタクト７１が図１３に示す如くスイッチＯＦＦのままとなる。
【００４２】
操作ノブ２１を左揺動させると、右側の押動舌片３３ｂがプッシュピン６２ｂから離れるため、プッシュピン６２ｂが上昇位置を保ち、したがって、ラバーコンタクト７２ｂが図１２に示す如くスイッチＯＦＦのままとなる。
なお、操作ノブ２１の左方向部の押圧力を解放させれば、ラバーコンタクト７２ａが復元する浮動力でプッシュピン６２ａが上昇するため、操作ノブ２１が図２，図６、図７に示す通常時の状態に戻り、第２スイッチとしてのラバーコンタクト７２ａがスイッチＯＦＦとなる。
【００４３】
また、操作ノブ２１の右方向部を押圧（右揺動操作）した場合は、ホルダ３１が右旋回し、その押動舌片３３ｂが押下動されるから、第２スイッチとしてのラバーコンタクト７２ｂがスイッチＯＮとなる。
操作ノブ２１の右揺動操作は、上記した左揺動操作と同様となるから、ラバーコンタクト７１，７２ａがスイッチＯＦＦのままとなり、また、突出舌片２３が円弧状部４４に当接するようになることから、右揺動操作中での操作ノブ２１の押込み操作が阻止されるため、ラバーコンタクト７１はスイッチＯＦＦのままとなる。
【産業上の利用可能性】
【００４４】
一つの操作ノブを押込み操作して第１スイッチを、その操作ノブを揺動操作して第２スイッチを各々を動作せることができるスイッチ装置に適する。
【符号の説明】
【００４５】
２１  操作ノブ
２２ａ、２２ｂ、２２ｃ  ガイド溝
２３  突出舌片
３１  ホルダ
３２ａ、３２ｂ、３２ｃ  ガイドレール
３３ａ、３３ｂ  押動舌片
４１  ケース
４４  円弧状部
４５  逃げ孔
４６ａ、４６ｂ  第１ストッパー
４７ａ、４７ｂ  第２ストッパー  
５１  基板
６１、６２ａ、６２ｂ  プッシュピン
７１，７２ａ、７２ｂ  ラバーコンタクト
【図１】
2014110130.tif 000003
【図２】
2014110130.tif 000004
【図３】
2014110130.tif 000005
【図４】
2014110130.tif 000006
【図５】
2014110130.tif 000007
【図６】
2014110130.tif 000008
【図７】
2014110130.tif 000009
【図８】
2014110130.tif 000010
【図９】
2014110130.tif 000011
【図１０】
2014110130.tif 000012
【図１１】
2014110130.tif 000013
【図１２】
2014110130.tif 000014
【図１３】
2014110130.tif 000015
【図１４】
2014110130.tif 000016
【図１５】
2014110130.tif 000017
【図１６】
2014110130.tif 000018